(57)【要約】【課題】  少ないＬＥＤランプを用いることによって安価に提供できるバー光源装置によって，食品ショーケースの陳列棚を有効に照明する。【解決手段】  ９０ｃｍの長さのバーケース１に両端から１５ｃｍの端部位置と中央位置に３つの照明孔２を透設してそれぞれＬＥＤランプ５を配置するとともに各ＬＥＤランプ５の正面にシリンドリカルレンズ７を配置することによって，３０ｃｍピッチに配置したＬＥＤランプ５が，照明位置の陳列棚１０において長手方向に一連に連続する帯状に照明し，短手方向における照明ロス発生の防止するようにする。３つのＬＥＤランプ５によって１ｍ程度の長さの均一な照明が可能となる。【選択図】        図５
2006092900.tif 000002
【特許請求の範囲】
【請求項１】
長手方向にＬＥＤランプを所定ピッチで点在配置するとともに各ＬＥＤランプの正面にレンズを配置することによって各ＬＥＤランプの光源光を長手方向に屈折拡大して点在配置のＬＥＤランプによる照明位置の照明光を長手方向一連に連続してなることを特徴とするバー光源装置。
【請求項２】
上記ＬＥＤランプ点在配置のピッチを３〜５個／ｍのピッチとしてなることを特徴とする請求項１に記載のバー光源装置。
【請求項３】
上記ＬＥＤランプの正面に配置するレンズを，長手方向にレンズ作用を発揮するように配置した非球面レンズ乃至シリンドリカルレンズとしてなることを特徴とする請求項１又は２に記載のバー光源装置。
【請求項４】
請求項１乃至３のいずれかに記載のバー光源装置を内方上部に設置するとともにその上記ＬＥＤランプ照明位置を商品陳列棚としてなることを特徴とするバー光源装置を用いたショーケース。
【発明の詳細な説明】
【技術分野】
【０００１】
本発明は，ＬＥＤランプを光源とするバー光源装置及びこれを用いたショーケースに関する。
【背景技術】
【０００２】
例えばＬＥＤランプを用いたバー光源装置として，多数のＬＥＤランプを基板長手方向に小ピッチで直列配置して透明の円筒体に装着して形成し，例えば冷凍ショーケース，冷蔵ショーケース等食品用のショーケースに設置することによって，冷却負荷が少なく，長寿命の照明をなし得るようにしたものが知られている。
【０００３】
【特許文献１】特開２００２−１４７９４５号公報
【発明の開示】
【発明が解決しようとする課題】
【０００４】
この場合，従前の蛍光灯ランプに代えてＬＥＤランプのメリットを生かしたバー光源装置を形成でき，使用するＬＥＤランプの色温度によって，例えば精肉や鮮魚等食品の商品色調を新鮮にして購入意欲を増進するものとすることができる。しかし乍らＬＥＤランプは指向性があるから，該指向性によって隣接するＬＥＤランプの照明光が照明位置において重なり，長手方向に可及的均一な照明をなし得るように指向性に応じた比較的小さな，例えば数ｃｍ程度の小ピッチで長手方向に大量数のＬＥＤランプを近接配置する必要が生じてＬＥＤランプがコストアップとなりバー光源装置が高価なものとなり易い。また広い指向性のＬＥＤランプを用いてその数を減少しようとすると，短手方向にも照明光が供給される結果，短手方向の照明面積が大きくなって照明ロスが生じるという問題点もある。
【０００５】
本発明はかかる事情に鑑みてなされたもので，その解決課題とするところは，ＬＥＤランプの数を可及的に減少しながら，照明位置において長手方向に一連に連続する帯状の照明を可能とし且つ短手方向に生じる照明ロスの発生を防止し得るようにして，可及的に安価に必要且つ充分な照明面積を確保し得るようにしたバー光源装置を提供するにあり，またこれを用いて有効な照明をなし得るようにしたショーケースを提供するにある。
【課題を解決するための手段】
【０００６】
上記課題に沿って本発明は，例えば２０ｃｍ，３０ｃｍといったように数１０ｃｍ程度の大きなピッチにＬＥＤランプを配置するとともに各ＬＥＤランプにその照明光を長手方向に屈曲拡大するレンズを配置し，該ＬＥＤランプとレンズとを対として用いることによって，照明位置における長手方向に一連に連続する帯状の照明と短手方向における照明ロス発生の防止を可能としたものであって，即ち請求項１に記載の発明を，長手方向にＬＥＤランプを所定ピッチで点在配置するとともに各ＬＥＤランプの正面にレンズを配置することによって各ＬＥＤランプの光源光を長手方向に屈折拡大して点在配置のＬＥＤランプによる照明位置の照明光を長手方向一連に連続してなることを特徴とするバー光源装置としたものである。
【０００７】
請求項２に記載の発明は，上記に加えて，例えば食品ショーケースやデスクスタンドの如くに，数１０ｃｍ程度離隔した照明位置に対する照明光の供給を行なう好ましい形態のバー光源装置とするように，これを，上記ＬＥＤランプ点在配置のピッチを３〜５個／ｍのピッチとしてなることを特徴とする請求項１に記載のバー光源装置としたものである。
【０００８】
請求項３に記載の発明は，同じく上記に加えて，ＬＥＤランプと対として用いるレンズを好ましい形態のものとするように，これを，上記ＬＥＤランプの正面に配置するレンズを，長手方向にレンズ作用を発揮するように配置した非球面レンズ乃至シリンドリカルレンズとしてなることを特徴とする請求項１又は２に記載のバー光源装置としたものである。
【０００９】
請求項４に記載の発明は，上記のバー光源装置を用いることによってＬＥＤランプのメリットを生かした，例えば食品等のショーケースを提供するように，これを，請求項１乃至３のいずれかに記載のバー光源装置を内方上部に設置するとともにその上記ＬＥＤランプ照明位置を商品陳列棚としてなることを特徴とするバー光源装置を用いたショーケースとしたものである。
【発明の効果】
【００１０】
本発明は以上のとおりに構成したから，請求項１に記載の発明は，例えば２０ｃｍ，３０ｃｍといったように数１０ｃｍ程度の大きなピッチにＬＥＤランプを配置するとともに各ＬＥＤランプにその照明光を長手方向に屈曲拡大するレンズを配置し，該ＬＥＤランプとレンズとを対として用いることによって，ＬＥＤランプの数を可及的に減少しながら，照明位置において長手方向に一連に連続する帯状の照明を可能とし且つ短手方向に生じる照明ロスの発生を防止し得るようにして，可及的に安価に必要且つ充分な照明面積を確保し得るようにしたバー光源装置を提供することができる。
【００１１】
請求項２に記載の発明は，上記に加えて，例えば食品ショーケースやデスクスタンドの如くに，数１０ｃｍ程度離隔した照明位置に対する照明光の供給を行なう好ましい形態のバー光源装置とすることができる。
【００１２】
請求項３に記載の発明は，同じく上記に加えて，ＬＥＤランプと対として用いるレンズを好ましい形態のものとすることができる。
【００１３】
請求項４に記載の発明は，上記のバー光源装置を用いることによってＬＥＤランプのメリットを生かしたショーケースを提供することができる。
【発明を実施するための最良の形態】
【００１４】
以下本発明を更に具体的に説明すれば，Ａはバー光源装置であり，該バー光源装置Ａは，長手方向にＬＥＤランプ５を所定ピッチで点在配置するとともに各ＬＥＤランプ５の正面にレンズ７を配置することによって各ＬＥＤランプ５の光源光を長手方向に屈折拡大して点在配置のＬＥＤランプ５による照明位置の照明光を長手方向一連に連続したものとしてある。
【００１５】
本例にあって該バー光源装置Ａは，例えば金属板を折曲成形して断面矩形の中空にして両端を閉塞したバーケース１の長手方向所定位置に照射孔２を透設し，該照射孔２からＬＥＤランプ５の照明光を照射するようにし，これによってＬＥＤランプ５を該バーケース１の長手方向に点在配置したものとしてある。
【００１６】
このときバーケース１は，例えばその長さを１ｍ程度とし，該１ｍの長さ当り３〜５ケの照射孔２を底壁に透設することによって，該照射孔２から照明光を供給するＬＥＤランプ５点在配置のピッチを３〜５個／ｍとしてあり，本例にあって該バーケース１は長さ９０ｃｍ，矩形断面の縦横をそれぞれ数ｃｍ以下の，例えば２〜３ｃｍとし，該バーケース１の長手方向両端から，例えば１５ｃｍ離れた端部位置に２ヶ所，該端部位置から３０ｃｍ程度離れた中央位置に１ヶ所の合計３ヶ所の照射孔２を点在配置し，これによって上記ＬＥＤランプ５点在配置のピッチを３０ｃｍ程度としてある。
【００１７】
ＬＥＤランプ５は，バーケース１の照射孔２位置に合せて天壁に固定した取付ベース６を介して照射孔２に向けて設置してあり，本例にあって該ＬＥＤランプ５は，その照射角を可及的に広いものを用いて上記レンズ７による長手方向の屈曲拡大を容易化するとともに短手方向にもある程度の幅を有する照明をなし得るようにしてあり，本例にあって該ＬＥＤランプ５は，例えば１４０度程度の比較的大きな照射角を持つものを使用してある。
【００１８】
上記ＬＥＤランプ５の正面に配置するレンズ７は，これを，長手方向にレンズ作用を発揮するように配置した非球面レンズ乃至シリンドリカルレンズとしてあり，本例にあっては上記ＬＥＤランプ５の照射角を比較的大きくしたことによって短手方向にはレンズ作用を不要とし，長手方向にレンズ作用を発揮するためにシリンドリカルレンズを用いるものとしてあり，該シリンドリカルレンズは，これを，そのレンズ作用を発揮する湾曲面をバーケース１の長手方向に直交して配置することによって長手方向に対してレンズ７の屈折拡大作用を発揮するようにしてあり，該レンズ７は，例えばバーケース１底壁の照射孔２から湾曲面を突出するように照射孔２に嵌挿して周辺を底壁に載置固定することによってその設置を行ってある。
【００１９】
このときシリンドリカルレンズ７は，ＬＥＤランプ５の照射角に合せた拡大倍率のものを選定使用して，照明位置において照明光が長手方向に一連に連続するようにすればよく，比較的大きな照射角のＬＥＤランプ５を使用する場合には，該ＬＥＤランプ５に合せてその拡大倍率を２〜３倍程度のものとすればよい。またシリンドリカルレンズ７による照明光の屈曲拡大は，例えば図５及び６に示す如くに，その照明位置において隣接するＬＥＤランプ５の照明光が部分的に重なることによって長手方向に輝度の均一性が確保されるようにするのがよく，レンズ７の倍率によって各ＬＥＤランプ５の照明光領域端部間に照明光が供給されない部分が生じたり，部分的に輝度低下が生じたりすることのないようにするのがよい。
【００２０】
このように形成したバー光源装置Ａは，例えば図示省略のショーケース，例えば食品ショーケースに設置して，そのＬＥＤランプ５照明位置を商品陳列棚１０とするように使用するものとしてあり，このときショーケース１が大きい場合にはその幅方向乃至奥行方向全体に照明光を供給するように該バー光源装置Ａを直列に多数配置することができ，また例えばショーケースの内周上部に直列配置して商品陳列棚１０を四周から照明するように使用することもできる。
【００２１】
図中３はバーケース１内に設置した断熱材，４はＬＥＤランプ５の僅かな発熱を放熱することによって冷凍乃至冷蔵の食品ショーケースの冷却負荷を解消するようにバーケース１，特に上記断熱材３の内面に張設した熱伝導体，例えばアルミによる放熱板，８はバー光源装置Ａのリード線，９はバー光源装置Ａのショーケース設置用のフックを示す。
【００２２】
以上のように構成したバー光源装置は，９０ｃｍといった長尺のものでありながら，これに３０ｃｍピッチに配置した３つのＬＥＤランプによって，該バー光源装置の下位に数１０ｃｍ程度離隔した照明位置に対して，一連の連続した照明光を供給して帯状の照明を可能とし，短手方向に生じる照明ロスの発生を防止して，必要且つ充分な照明面積を確保したものとすることができ，少ないＬＥＤランプの使用によって可及的に安価なものとすることができる。
【００２３】
なお例えば食品ショーケースに使用するとき，ＬＥＤランプの照射角が大きなものとすれば，該ＬＥＤランプを上記３〜５個／ｍとしても，一般に短手方向の照明もなされる結果，該短手方向に屈曲拡大のレンズ作用を必要とすることなく，その好ましい全体の商品，特に食品の照明をなし得るが，このバー光源装置においては短手方向にも幾分の屈曲拡大を妨げるものではなく，この場合，主として長手方向の屈曲拡大をなし得るとともに副次的に短手方向の屈曲拡大をなし得るようにするために，上記シリンドリカルレンズに代えて非球面レンズを使用することが可能である。また上記バーケースをアルミや樹脂の押出形材を加工して構成すること，レンズをＬＥＤランプの正面に複数組合せ使用すること等を含めて，本発明の実施に当って，バー光源装置，ＬＥＤランプ，レンズ，必要に応じて用いる非球面レンズ，シリンドリカルレンズ，ショーケース，その商品陳列棚等の各具体的構造，形状，材質，数，寸法，これらの関係，これらに対する付加等は，上記発明の要旨に反しない限り様々な形態のものとすることができる。
【図面の簡単な説明】
【００２４】
【図１】バー光源装置光源面側の斜視図である。
【図２】図１の部分拡大図である。
【図３】図２のＡ−Ａ線縦断面図である。
【図４】図２のＢ−Ｂ線縦断面図である。
【図５】バー光源装置の照射状態を示すモデル断面図である。
【図６】照明位置の照射状態を示すモデル平面図である。
【符号の説明】
【００２５】
Ａ  バー光源装置
１  バーケース
２  照射孔
３  断熱材
４  放熱板
５  ＬＥＤランプ
６  取付ベース
７  レンズ
８  リード線
９  フック
１０  陳列棚
【図１】
2006092900.tif 000003
【図２】
2006092900.tif 000004
【図３】
2006092900.tif 000005
【図４】
2006092900.tif 000006
【図５】
2006092900.tif 000007
【図６】
2006092900.tif 000008